(57)【要約】【課題】電子カルテに対して所定の処理を実施した者を特定する電子カルテ装置及び電子カルテプログラムを提供する。【解決手段】複数のユーザの識別情報及び認証情報の組み合わせを予め記憶するユーザ情報記憶部０４１と、入力部０７２から、ログイン要求又はログインがなされている状態における所定の処理要求を受けて、識別情報及び認証情報の入力を行うログイン画面を表示部０７１に表示させる第２表示制御部０１２と、ログイン画面に識別情報及び認証情報の組み合わせが入力されたときに、ユーザ情報記憶部０４１に記憶された組み合わせと一致するか否かを判定する判定部００３と、入力された組み合わせと記憶された組み合わせとが一致したときに、所定の処理を行う処理実施部００６と、少なくとも所定の処理の処理内容の情報と入力された識別情報とを含む履歴情報を記憶しておく履歴記憶部０４２と、を備えた。【選択図】図１
2010277530.tif 000002
【特許請求の範囲】
【請求項１】
複数のユーザの識別情報及び認証情報の組み合わせを予め記憶するユーザ情報記憶手段と、
入力手段と、
既にログインがなされている状態における前記入力手段からの電子カルテに対する所定の処理要求を受けて、前記識別情報及び前記認証情報の入力を行うログイン画面を表示手段に表示させる表示制御手段と、
前記ログイン画面に前記入力手段を用いて前記識別情報及び前記認証情報が入力されたときに、前記ユーザ情報記憶手段に記憶されている前記組み合わせのいずれかと一致するか否かを判定する判定手段と、
前記入力された前記識別情報及び前記認証情報が前記記憶されている組み合わせのいずれかと一致したときに、前記所定の処理を行う処理実施手段と、
少なくとも前記所定の処理の処理内容の情報と前記入力手段から入力された前記識別情報とが対応づけられた情報を含む履歴情報を記憶しておく履歴記憶手段と、
を備えたことを特徴とする電子カルテ装置。
【請求項２】
複数のユーザの識別情報及び認証情報の組み合わせ、及び最新のユーザの識別情報を予め記憶するユーザ情報記憶手段と、
入力手段と、
既に電子カルテプログラムへのログインがなされている状態において、前記入力手段からの電子カルテに対する所定の処理要求を受けて前記認証情報の認証画面を表示手段に表示させる第１表示制御手段と、
前記入力手段から入力された認証情報と前記最新のユーザの認証情報とを照合する照合手段と、
前記入力された認証情報と前記前記最新のユーザの認証情報が異なるときに、前記識別情報及び前記認証情報の入力を行うログイン画面を前記表示手段に表示させる第２表示制御手段と、
前記ログイン画面に前記入力手段を用いて前記識別情報及び前記認証情報が入力されたときに、前記ユーザ情報記憶手段に記憶されている前記組み合わせのいずれかと一致するか否かを判定する判定手段と、
前記入力された前記識別情報及び前記認証情報が前記記憶されている組み合わせのいずれかと一致したときに、前記ユーザ情報記憶手段に記憶されている最新のユーザの識別情報を、前記入力手段を用いて入力された前記識別情報に更新する更新手段と、
前記所定の処理が行われた後に、少なくとも前記所定の処理の処理内容の情報と最新のユーザの識別情報とを含む履歴情報を記憶しておく履歴記憶手段と、
を備えたことを特徴とする電子カルテ装置。
【請求項３】
前記第２表示制御手段は、前記電子カルテのプログラムへのログイン処理の処理要求を受けた場合にも、前記ログイン画面を前記表示手段に表示させることを特徴とする請求項２に記載の電子カルテ装置。
【請求項４】
前記所定の処理とは、前記電子カルテへの変更保存処理、及び前記電子カルテのプログラムからのログオフ処理のいずれか一つを含むことを特徴とする請求項１乃至請求項３のいずれか一つに記載の電子カルテ装置。
【請求項５】
少なくとも前記認証情報として生体認証情報を用いることを特徴とする請求項１乃至請求項４のいずれか一つに記載の電子カルテ装置。
【請求項６】
前記入力手段は、ＩＣカード読取機構を含み、
ＩＣカードを前記ＩＣカード読取機構に用いることで前記識別情報及び前記認証情報のいずれか一方もしくは両方の入力が行われることを特徴とする請求項１乃至請求項４のいずれか一つに記載の電子カルテ装置。
【請求項７】
前記履歴情報には、操作日時、及び／又はログイン方法をさらに含むことを特徴とする請求項１乃至請求項６のいずれか一つに記載の電子カルテ装置。
【請求項８】
電子カルテについて処理を行うコンピュータに対し、
複数のユーザの識別情報及び認証情報の組み合わせ、及び前記複数のユーザのうちの最新のユーザの識別情報を予め記憶させ、
既に電子カルテプログラムへのログインがなされている状態で、電子カルテに対する所定の処理要求を受けて前記認証情報の認証画面の表示を実行させ、
前記認証情報の入力を受けて、前記入力された認証情報と前記最新のユーザの認証情報との照合を実行させ、
前記入力された認証情報と前記最新のユーザの認証情報が異なるときに、前記識別情報及び前記認証情報の入力を行うログイン画面の表示を実行させ、
前記ログイン画面に対する前記識別情報及び前記認証情報の入力を受けて、前記ログイン画面に入力された前記識別情報及び前記認証情報が前記記憶している前記識別情報及び前記認証情報の前記組み合わせのいずれかと一致するか否かの判定を実行させ、
前記入力された前記識別情報及び前記認証情報が前記記憶している組み合わせのいずれかと一致したときに、前記記憶されている最新のユーザの識別情報の入力された前記識別情報への更新を実行させ、
前記所定の処理を実施させ、
少なくとも前記所定の処理の処理内容の情報と前記最新のユーザの識別情報とを含む履歴情報の記憶を実行させる、
ことを特徴とする電子カルテプログラム。
【発明の詳細な説明】
【技術分野】
【０００１】
本発明は、診療内容を電子的に保存する電子カルテ装置及びこれを制御する電子カルテプログラムに関する。特に眼科で使用される電子カルテ装置及び電子カルテプログラムに関する。
【背景技術】
【０００２】
近年、医療機関における情報の電子化が進められている。そのような医療機関における電子化の中で、患者毎の各種の診療内容を記録した電子カルテがある。この電子カルテの作成、参照、及び変更などを行う電子カルテ装置（例えば、特許文献１参照）が普及してきている。この電子カルテ装置はネットワークを介して複数の医用情報端末と接続されている。
【０００３】
この電子カルテに関する情報入力は、医師や検査技師などの操作者（以下では、この電子カルテの操作者のことを「ユーザ」という。）が医用情報端末を用いることで行われる。具体的には、ある患者に対する検査を行った場合には、ユーザは医用情報端末を用いてその検査結果をその患者に対する電子カルテに入力する。また、診察を行った場合には、ユーザ（特に医師）は医用情報端末を用いてその診察結果の内容を入力する。また、診察を行う場合などに、医用情報端末に電子カルテを表示して検査において作成した画像等の検査結果を参照する。
【０００４】
このような電子カルテ装置を医用情報端末から使用する場合、それぞれの医用情報端末を複数のユーザが操作する状況が多く発生する。特に目に対しては他の体の部位と異なり多くの種類の検査を行う必要がある。さらに、それらの検査の中には暗室などで行う必要があるものもあり、検査を行う部屋があちこちに散在している場合が多い。そのため、眼科では一人のユーザがある医用情報端末を操作して検査結果の入力などを行った後に、その入力を終えたままの状態で次の検査を行う場所に行くことが多々ある。このときに、同じ患者に対し他の検査を行った他のユーザがその医用情報端末を操作して検査結果を入力する等の状況が発生しやすい。この様な理由により眼科において複数のユーザが一つの医用情報端末を操作する状況が発生しやすい。
【０００５】
そのように複数のユーザが一つの医用情報端末を操作する場合、電子カルテのプログラムへのログイン、電子カルテの患者情報の書き込みや変更及びその保存、検査結果の書き込みや変更及びその保存、診察結果の書き込みや変更及びその保存、並びに電子カルテのプログラムからのログオフといったそれぞれの作業を一人のユーザが行うとは限らない。例えば、誰かが電子カルテのプログラムにログインした状態の医用情報端末を使用して、他の者がその電子カルテに検査結果を書き込んでしまうようなことが考えられる。ここで、電子カルテプログラムへの「ログイン」とは、ユーザが電子カルテプログラム及びそのデータを使用できる状態にするために行う処理である。
【０００６】
ただし、電子カルテには、厚生省によるガイドラインにより真正性、見読性、保存性という３つの条件を満たすように要求されている。そのうちの真正性を担保する方法として作成の責任の所在の明確化がある。さらに、真正性を担保するために、書き換え、消去・混同、及び改ざんを防止することが必要である。そして、作成者の責任の所在を明確にするには、その内容を記載した者の特定が要求される。これにより、カルテの真正性を向上させることができる。
【先行技術文献】
【特許文献】
【０００７】
【特許文献１】特開２００８−２１０１７１号公報
【発明の概要】
【発明が解決しようとする課題】
【０００８】
しかし、上述したように各作業を一人の者に限らず、他の者の手が加わるような状態で行った場合は、電子カルテに対する作業を誰が行ったのか特定することが困難になってしまう。特に、検査結果や診察内容などをカルテに記入（変更を含む）し保存するといった電子カルテの記入処理が実際に誰の手で行われたものなのかが不明確になる。これでは、電子カルテの真正性を守ることが困難となってしまう。また、ログアウトなどの作業を行った者が特定できないと、情報漏洩のリスクを高めるおそれがある。
【０００９】
この発明は、このような事情に鑑みてなされたもので、電子カルテに対して所定の処理を実施した者を特定する電子カルテ装置及び電子カルテプログラムを提供することを目的としている。
【課題を解決するための手段】
【００１０】
上記目的を達成するために、請求項１に記載の電子カルテ装置は、複数のユーザの識別情報及び認証情報の組み合わせを予め記憶するユーザ情報記憶手段と、入力手段と、既にログインがなされている状態における前記入力手段からの電子カルテに対する所定の処理要求を受けて、前記識別情報及び前記認証情報の入力を行うログイン画面を表示手段に表示させる表示制御手段と、前記ログイン画面に前記入力手段を用いて前記識別情報及び前記認証情報が入力されたときに、前記ユーザ情報記憶手段に記憶されている前記組み合わせのいずれかと一致するか否かを判定する判定手段と、前記入力された前記識別情報及び前記認証情報が前記記憶されている組み合わせのいずれかと一致したときに、前記所定の処理を行う処理実施手段と、少なくとも前記所定の処理の処理内容の情報と前記入力手段から入力された前記識別情報とが対応づけられた情報を含む履歴情報を記憶しておく履歴記憶手段と、を備えたことを特徴とするものである。
【００１１】
請求項２に記載の電子カルテ装置は、複数のユーザの識別情報及び認証情報の組み合わせ、及び最新のユーザの識別情報を予め記憶するユーザ情報記憶手段と、入力手段と、既に電子カルテプログラムへのログインがなされている状態において、前記入力手段からの電子カルテに対する所定の処理要求を受けて前記認証情報の認証画面を表示手段に表示させる第１表示制御手段と、前記入力手段から入力された認証情報と前記最新のユーザの認証情報とを照合する照合手段と、前記入力された認証情報と前記前記最新のユーザの認証情報が異なるときに、前記識別情報及び前記認証情報の入力を行うログイン画面を前記表示手段に表示させる第２表示制御手段と、前記ログイン画面に前記入力手段を用いて前記識別情報及び前記認証情報が入力されたときに、前記ユーザ情報記憶手段に記憶されている前記組み合わせのいずれかと一致するか否かを判定する判定手段と、前記入力された前記識別情報及び前記認証情報が前記記憶されている組み合わせのいずれかと一致したときに、前記ユーザ情報記憶手段に記憶されている最新のユーザの識別情報を、前記入力手段を用いて入力された前記識別情報に更新する更新手段と、前記所定の処理が行われた後に、少なくとも前記所定の処理の処理内容の情報と最新のユーザの識別情報とを含む履歴情報を記憶しておく履歴記憶手段と、を備えたことを特徴とするものである。
【００１２】
請求項３に記載の発明は、請求項２に記載の電子カルテ装置であって、前記第２表示制御手段は、前記電子カルテのプログラムへのログイン処理の処理要求を受けた場合にも、前記ログイン画面を前記表示手段に表示させることを特徴とするものである。
【００１３】
請求項４に記載の発明は、請求項１乃至請求項３のいずれか一つに記載の電子カルテ装置であって、前記所定の処理とは、前記電子カルテへの変更保存処理、及び前記電子カルテのプログラムからのログオフ処理のいずれか一つを含むことを特徴とするものである。
【００１４】
請求項５に記載の発明は、請求項１乃至請求項４のいずれか一つに記載の電子カルテ装置であって、少なくとも前記認証情報として生体認証情報を用いることを特徴とするものである。
【００１５】
請求項６に記載の発明は、請求項１乃至請求項４のいずれか一つに記載の電子カルテ装置であって、前記入力手段は、ＩＣカード読取機構を含み、ＩＣカードを前記ＩＣカード読取機構に用いることで前記識別情報及び前記認証情報のいずれか一方もしくは両方の入力が行われることを特徴とするものである。
【００１６】
請求項７に記載の発明は、請求項１乃至請求項６のいずれか一つに記載の電子カルテ装置であって、前記履歴情報には、操作日時、及び／又はログイン方法をさらに含むことを特徴とするものである。
【００１７】
請求項８に記載の電子カルテプログラムは、電子カルテについて処理を行うコンピュータに対し、複数のユーザの識別情報及び認証情報の組み合わせ、及び前記複数のユーザのうちの最新のユーザの識別情報を予め記憶させ、既に電子カルテプログラムへのログインがなされている状態で、電子カルテに対する所定の処理要求を受けて前記認証情報の認証画面の表示を実行させ、前記認証情報の入力を受けて、前記入力された認証情報と前記最新のユーザの認証情報との照合を実行させ、前記入力された認証情報と前記最新のユーザの認証情報が異なるときに、前記識別情報及び前記認証情報の入力を行うログイン画面の表示を実行させ、前記ログイン画面に対する前記識別情報及び前記認証情報の入力を受けて、前記ログイン画面に入力された前記識別情報及び前記認証情報が前記記憶している前記識別情報及び前記認証情報の前記組み合わせのいずれかと一致するか否かの判定を実行させ、前記入力された前記識別情報及び前記認証情報が前記記憶している組み合わせのいずれかと一致したときに、前記記憶されている最新のユーザの識別情報の入力された前記識別情報への更新を実行させ、前記所定の処理を実施させ、少なくとも前記所定の処理の処理内容の情報と前記最新のユーザの識別情報とを含む履歴情報の記憶を実行させる、ことを特徴とするものである。
【発明の効果】
【００１８】
本発明に係る電子カルテ装置及び電子カルテプログラムによると、ユーザが電子カルテプログラムに対し所定の処理要求をしたときに、そのユーザの識別情報及び認証情報の確認が行われ、その所定の処理の内容と共にその処理を実施したユーザの識別情報が記憶される。これにより、電子カルテに対し所定の処理を行う場合に、その処理内容及びその処理を行った者を特定することが可能になる。したがって、電子カルテに対する真正性を確保することが可能となる。
【００１９】
また、電子カルテプログラムに対するログイン時及びログアウト時にユーザの識別情報及び認証情報の確認がなされ、その処理の内容と共にその処理を実施したユーザの識別情報を記憶することができる。これにより、電子カルテプログラムに対しログインもしくはログオフしたユーザを特定することができ、情報漏洩のリスクを軽減することが可能である。
【００２０】
さらに、生体認証やＩＣカードにより識別情報及び認証情報の入力が行えるため、ユーザは簡単に識別情報及び認証情報の入力を行うことができ、所定の処理を行う際のログインの作業の煩雑さを軽減することが可能となる。
【図面の簡単な説明】
【００２１】
【図１】本発明に係る電子カルテ装置のブロック図
【図２】第１の実施形態に係る電子カルテ装置のログイン処理におけるフローチャート
【図３】第１の実施形態に係る電子カルテ装置の変更保存処理におけるフローチャート
【図４】第１の実施形態に係る電子カルテ装置のログオフ処理におけるフローチャート
【図５】第３の実施形態に係る電子カルテ装置を用いたシステムの構成を表す図
【発明を実施するための形態】
【００２２】
〔第１の実施形態〕
以下、この発明の第１の実施形態に係る電子カルテ装置について説明する。図１は本発明に係る電子カルテ装置１００の機能を表すブロック図である。
【００２３】
ユーザインタフェース００７には、モニタなどの表示部０７１と、キーボードやマウスなどの入力部０７２が設けられている。医師、検査技師、又は看護師などの操作者（ユーザ）はユーザインタフェース００７を用い、表示部０７１に表示された情報を参照しながら、入力部０７２により識別情報や認証情報といった情報の入力や処理要求の入力などを行う。
【００２４】
ここで、本実施形態では、表示部０７１と入力部０７２が分離したユーザインタフェース００７を用いているが、これはタッチパネルなどの表示部０７１と入力部０７２が一体となっているユーザインタフェースでもよい。この表示部０７１が本発明における「表示手段」にあたり、入力部０７２が本発明における「入力手段」にあたる。
【００２５】
記憶部００４は、ハードディスクなどの記憶媒体で構成されている。記憶部００４は、ユーザ情報記憶部０４１と履歴記憶部０４２とを有している。
【００２６】
ユーザ情報記憶部０４１は、ユーザを識別（特定）するための情報である識別情報とその識別情報を有するユーザであるということを認証するための認証情報とを対応させた組み合わせを複数記憶している。本実施形態では、ユーザ情報記憶部０４１は、識別情報としてユーザＩＤを、認証情報としてパスワードを記憶している。言い換えれば、ユーザ情報記憶部０４１は、各ユーザに割り当てられた固有のユーザＩＤ及びパスワードの情報を、複数のユーザ分記憶している。
【００２７】
さらに、ユーザ情報記憶部０４１は、電子カルテプログラムにログインしてその電子カルテプログラムを最後に使用したユーザである「最新のユーザ」の識別情報を記憶している。この最新のユーザの識別情報は、ユーザ情報記憶部０４１が記憶している複数のユーザの識別情報の中で最新のユーザにあたる識別情報にフラグを立てることで記憶してもよいし、最新のユーザという項目をデータベースの中に設けてその項目に対応するように最新のユーザの識別情報を記憶してもよい。これにより、複数記憶しているユーザの識別情報の中から最新のユーザの識別情報を特定することが可能となる。このユーザ情報記憶部０４１が本発明における「ユーザ情報記憶手段」にあたる。
【００２８】
この最新のユーザの識別情報は、一人のユーザも電子カルテプログラムにログインしていない状態では、ユーザ情報記憶部０４１には記憶されていない。また、電子カルテプログラムにユーザがログインしている場合には、後述する更新部００５から電子カルテプログラムにログインしているユーザの識別情報の入力を受けて、その入力された識別情報を最新のユーザの識別情報として記憶している。
【００２９】
主制御部００１は、ＣＰＵやメモリなどを含んで構成されている。図１に示すように、主制御部００１は、第１表示制御部０１１、第２表示制御部０１２、統括制御部０１３を有している。また、主制御部００１は、記憶部００４に格納されたプログラムをメモリ上に展開することにより、この実施形態に特徴的な動作（後述）を電子カルテ装置１００に実行させる。このプログラムが、この発明の「電子カルテプログラム」の一例に相当するものである。
【００３０】
統括制御部０１３は、各機能部の動作タイミングの制御や、各機能部間のデータの受け渡しの制御を行う。ここで、実際には各機能部間のデータの受け渡しや命令の入力は、統括制御部０１３を介して行われるが、以下の説明では説明の都合上、各機能部間で直接データの受け渡しや命令の入力を行っているように説明する場合がある。
【００３１】
統括制御部０１３は、どの処理に対する処理要求を受けたときに第１表示制御部０１１に認証画面の表示要求を出力するかという、処理の種類を記憶している。この統括制御部０１３が記憶している種類の処理が本発明における「所定の処理」にあたる。この所定の処理とは、真正性を担保するために重要な処理である。本実施形態では統括制御部０１３は、この所定の処理として、電子カルテプログラムへのログイン処理（以下では、単に「ログイン処理」という。）、電子カルテ変更保存処理、及び電子カルテプログラムからのログオフ処理（以下では、単に「ログオフ処理」という。）を記憶している。統括制御部０１３は、入力部０７２から電子カルテプログラムに対する処理要求の入力を受ける。統括制御部０１３は、要求された処理が所定の処理として記憶されている種類の処理のいずれかに一致するか否かを判断する。
【００３２】
統括制御部０１３は、要求された処理がログイン処理以外の処理に一致する場合には第１表示制御部０１１へ認証画面の表示要求を出力する。さらに、統括制御部０１３は、電子カルテの変更保存要求が入力される以前に行われた処理を記憶部００４に設けられた一時保存領域に一時保存させておく。統括制御部０１３は、この一時保存領域に蓄積された一時保存のデータを、予め決められた所定期間が過ぎると消去したり、予め決められた所定容量を超えた場合に一番古いデータから消去したりする構成となっている。そして、ユーザは後に（例えば、次にこの電子カルテ装置１００を使用したときなど。）、この一時保存されたデータを必要に応じて通常の保存の状態に保存し直すことができる。通常の保存に直された場合には、ユーザからの消去の操作などが行われなければデータは記憶され続けることになる。この様に保存が必要か否かの判断がなされていないデータを一時的に保存しておく構成にすることで、記憶領域の容量を抑えることができる。また、一時保存のデータを通常の保存に直すことで、必要なデータの消去を回避できる。
【００３３】
また、統括制御部０１３は、要求された処理がログイン処理である場合には第２表示制御部０１２へログイン画面の表示要求を出力する。
【００３４】
第１表示制御部０１１は、最新のユーザの認証情報の入力を受け付けるための認証画面、具体的には、ユーザの識別情報の入力欄はなくユーザの認証情報の入力欄のみが設けられた認証画面のフォーマットを記憶している。ここで認証画面とは、後述するように認証情報のみの入力を受ける画面であり、電子カルテプログラムにログインするための画面の一種である。
【００３５】
第１表示制御部０１１は、統括制御部０１３から認証画面の表示要求の入力を受ける。そして、認証画面の表示要求を受けた第１表示制御部０１１は、ユーザ情報記憶部０４１を参照し最新のユーザの識別情報を取得する。そして、第１表示制御部０１１は、記憶している認証画面のフォーマットを基に、最新のユーザの識別情報を変更不可能に記載し、さらに認証情報の入力欄を設けた認証画面を生成する。そして、第１表示制御部０１１は、生成した認証画面を表示部０７１に表示させる。
【００３６】
ユーザは、表示部０７１に表示された認証画面を参照し、入力部０７２を用いて認証情報の入力を行う。本実施形態では、第１表示制御部０１１は、ユーザにより認証情報の入力が行われると表示している認証画面を消去する。
【００３７】
ここで、認証情報の入力には、入力欄に認証情報を入力するとともにＯＫボタンなどを押下することによる入力した情報の確定の実行も含まれている。ただし、この認証画面の消去は特に行わなくてもよい。この第１表示制御部０１１が本発明における「第１表示制御手段」にあたる。
【００３８】
ここで、本実施形態では、ログインが要求されているユーザが把握できるように、認証画面に最新のユーザの識別情報を記載したが、この記載はなくてもよく、第１表示制御部０１１は、単に認証情報の入力欄のみが設けられた認証画面を生成し、表示部０７１に表示させてもよい。この場合、第１表示制御部０１１は、最新のユーザの識別情報を取得するためのユーザ情報記憶部０４１の参照を行うことなく、認証画面の表示要求を受けるとすぐに認証画面の生成を行う構成となる。
【００３９】
照合部００２は、第１表示制御部０１１が表示部０７１に表示させた認証画面に対するユーザによる入力部０７２から入力された認証情報を受ける。そして、照合部００２は、ユーザ情報記憶部０４１を参照し、入力された認証情報と最新のユーザの認証情報とを比較し、認証情報が一致するか否か判断する。
【００４０】
入力された認証情報と最新のユーザの認証情報とが一致する場合、照合部００２は、処理実施部００６に対し処理要求が行われた処理の実施の命令を出力し、且つ、履歴記憶部０４２に対し、要求された処理を行うユーザの識別情報として最新のユーザの識別情報を出力する。
【００４１】
さらに本実施形態では、照合部００２はどのような手段を用いてログインが行われたか（以下では、「ログイン方法」という。）を履歴記憶部０４２に出力する。ログイン方法とは、具体的にはＩＤとパスワードの組み合わせによるログインや患者名とパスワードとの組み合わせによるログインといったような、識別情報の種類と認証情報の種類の組み合わせを指す。本実施形態では、ユーザＩＤとパスワードによるログイン、及び患者名とパスワードによるログインという２つのログイン方法がある。ここで、本実施形態では前述の２つのログイン方法を用いたが、これはもっと多くのログイン方法を有していてもよい。これには、後述するような生体認証などを用いてもよい。
【００４２】
ここで、本実施形態では、処理が行われたときの状況を後からより正確に把握できるように、照合部００２がログイン方法を履歴記憶部０４２へ出力する構成にしているが、ログイン方法がなくても処理を行ったユーザの特定は可能なため、ログイン方法の出力は行わなくてもよい。この照合部００２が本発明における「照合手段」にあたる。
【００４３】
入力された認証情報と最新のユーザの認証情報とが一致しない場合、照合部００２は、第２表示制御部０１２に対しログイン画面の表示要求をする。
【００４４】
第２表示制御部０１２は、ユーザの識別情報及び認証情報の組み合わせの入力を受け付けるためのログイン画面、具体的には、ユーザの識別情報の入力欄及び認証情報の入力欄がそれぞれ設けられたログイン画面のフォーマットを記憶している。
【００４５】
第２表示制御部０１２は、上述したように第１表示制御部０１１が表示させたログイン画面に対し入力された認証情報と最新のユーザの認証情報とが一致しない場合に、照合部００２からログイン画面の表示要求を受ける。さらに、ユーザにより要求された処理がログイン処理の場合には、統括制御部０１３よりログイン画面の表示要求を受ける。また、後述するように、第２表示制御部０１２は、自己が表示要求したログイン画面に対し入力された識別情報及び認証情報の組み合わせが、ユーザ情報記憶部０４１に記憶されている識別情報及び認証情報の組み合わせのいずれとも一致しない場合にも、判定部００３からログイン画面の表示要求を受ける。
【００４６】
第２表示制御部０１２は、ログイン画面の表示要求を受けると、記憶しているログイン画面のフォーマットを基に表示部０７１にログイン画面を表示させる。ユーザは、表示部０７１に表示されたログイン画面を参照し、入力部０７２を用いて識別情報及び認証情報の入力を行う。第２表示制御部０１２は、ユーザにより識別情報及び認証情報の入力が行われると表示しているログイン画面を消去する。
【００４７】
ここで、識別情報及び認証情報の入力には、前述した第１表示制御部０１１が表示させた認証画面への入力と同様に、入力欄に識別情報及び認証情報を入力するとともにＯＫボタンなどを押下することによる入力した情報の確定の実行も含まれている。この第２表示制御部０１２が本発明における「第２表示制御手段」にあたる。
【００４８】
判定部００３は、第２表示制御部０１２が表示部０７１に表示させたログイン画面に対するユーザによる入力部０７２からの識別情報及び認証情報の入力を受ける。そして、判定部００３は、ユーザ情報記憶部０４１を参照し、入力された識別情報及び認証情報の組み合わせと、ユーザ情報記憶部０４１に記憶されている識別情報及び認証情報の組み合わせとを比較し、入力された識別情報及び認証情報が記憶されている識別情報及び認証情報の組み合わせのいずれかと一致するか否かを判定する。
【００４９】
組み合わせが一致する場合には、判定部００３は、処理実施部００６に対し処理要求が行われた処理の実施の命令を出力し、且つ更新部００５に対し入力された識別情報を出力する。さらに本実施形態では、判定部００３は、ログイン方法を履歴記憶部０４２に対し出力する。ここで、本実施形態では照合部００２の場合と同様に、処理が行われたときの状況を後からより正確に把握できるように、判定部００３はログイン方法を履歴記憶部０４２に出力しているが、このログイン方法の出力は行わなくてもよい。
【００５０】
また、組み合わせが一致しない場合には、判定部００３は、第２表示制御部０１２に対しログイン画面の表示要求を出力する。この判定部００３が本発明における「判定手段」にあたる。
【００５１】
更新部００５は、判定部００３から最新のユーザの識別情報の入力を受ける。そして、更新部００５は、ユーザ情報記憶部０４１に記憶されている最新のユーザの識別情報を判定部００３から入力された識別情報に更新する。この更新は、上述したようにユーザ情報記憶部０４１が記憶している識別情報に対し、今まで最新のユーザの識別情報として立っていたフラグを消去し、判定部００３から入力された識別情報に対し最新のユーザとしてのフラグを立てるといった方法でもよいし、最新のユーザという項目の内容を判定部００３から入力された識別情報に変更する方法でもよい。
【００５２】
さらに、更新部００５は、履歴記憶部０４２に対し、処理を行うユーザの識別情報として判定部００３から入力された識別情報を出力する。この更新部００５が本発明における「更新手段」にあたる。
【００５３】
処理実施部００６は、処理要求が行われた処理の実施の命令の入力を照合部００２又は判定部００３から受ける。処理実施部００６は、命令を受けた処理を実施する。本実施形態では、統括制御部０１３が記憶している第１表示制御部０１１に出力する処理の種類が、ログイン処理、電子カルテ変更保存処理、及びログオフ処理であるので、ここでは処理実施部００６は、ログイン処理、電子カルテ変更保存処理、又はログオフ処理のいずれかの処理を実施することになる。
【００５４】
そして、処理実施部００６は、ログイン処理、電子カルテ変更保存処理、又はログオフ処理の実施を完了すると、履歴記憶部０４２に行った処理の処理内容を出力する。この処理内容とは、例えば、ログイン処理又はログオフ処理であればそれらの処理を行ったという情報であり、電子カルテ変更保存処理であれば、どの電子カルテに変更処理を行った上で保存したといったような実施した処理の概要を表す情報である。
【００５５】
さらに本実施形態では、処理実施部００６は処理を行った日時を履歴記憶部０４２へ出力する。ただし、日時の情報がなくても処理を行ったユーザを特定することは可能であるので、日時の出力は行わなくてもよい。
【００５６】
また、処理実施部００６は、上述した所定の処理（例えば、ログイン処理、電子カルテ変更保存処理、及びログオフ処理）以外の電子カルテの参照といった処理の場合には、統括制御部０１３から直接に処理の実施命令の入力を受けて、該当する処理を実施する。この場合には、処理実施部００６は、履歴記憶部０４２に対する処理内容の出力は行わない。この処理実施部００６が本発明における「処理実施手段」にあたる。
【００５７】
履歴記憶部０４２は、照合部００２又は判定部００３から処理要求を行ったユーザの識別情報の入力を受ける。さらに、履歴記憶部０４２は、処理実施部００６より処理内容の入力を受ける。そして、統括制御部０１３は、履歴記憶部０４２に対し、入力された処理を行うユーザの識別情報と処理内容とを組み合わせて記憶させる。
【００５８】
さらに本実施形態では、履歴記憶部０４２は、判定部００３からログイン方法の入力を受け、処理実施部００６から処理を実施した日時の入力を受ける。そこで本実施形態では、統括制御部０１３は、履歴記憶部０４２に対し、記憶した識別情報と処理内容の組み合わせに加えて、ログイン方法及び処理を実施した日時を記憶させる。この履歴記憶部０４２が記憶する、処理を行うユーザの識別情報、処理内容、ログイン方法、処理を実施した日時をまとめて「履歴情報」という。ただし、ログイン方法や処理を実施した日時を記憶しなくても処理を行ったユーザの特定は可能なため、履歴記憶部０４２が記憶する履歴情報にはログイン方法や処理を実施した日時を含まなくてもよい。言い換えれば、「履歴情報」としては少なくとも処理を行ったユーザの識別情報及び処理内容が含まれていればよい。
【００５９】
またこの他にも、履歴記憶部０４２は、処理実施部００６から実施した処理によって更新されたファイルのタイムスタンプを取得することで、そのタイムスタンプも識別情報と処理内容の組み合わせに加えて履歴情報として記憶する構成にしてもよい。この履歴記憶部０４２が本発明における「履歴記憶手段」にあたる。
【００６０】
次に、図２を参照して本実施形態に係る電子カルテ装置１００のログイン処理における動作を説明する。図２は本実施形態に係る電子カルテ装置１００のログイン処理におけるフローチャートである。
【００６１】
（ログイン処理）
ユーザは入力部０７２を用いて電子カルテプログラムの起動命令を入力する（Ｓ１０１）。電子カルテプログラムを起動すると必ず電子カルテプログラムへのログインを行う必要があるため、この起動命令には電子カルテプログラムに対するログイン処理の要求も含まれている。
【００６２】
統括制御部０１３は、起動命令と共にログイン処理の要求を受けて、電子カルテプログラムを起動させるとともに、第２表示制御部０１２に対してログイン画面の表示要求を出力する。第２表示制御部０１２は、ログイン画面の表示要求の入力を受けて、記憶しているフォーマットを基に表示部０７１にログイン画面を表示させる（Ｓ１０２）。
【００６３】
ユーザは、表示部０７１に表示されているログイン画面に対し、入力部０７２を用いて識別情報及び認証情報の入力を行う（Ｓ１０３）。
【００６４】
判定部００３は、識別情報及び認証情報の入力を受けて、ユーザ情報記憶部０４１を参照し、入力された識別情報及び認証情報の組み合わせとユーザ情報記憶部０４１に記憶されている識別情報及び認証情報の組み合わせとを比較し、入力された組み合わせがユーザ情報記憶部０４１に記憶されている組み合わせのいずれかに一致しログインが成功したか、一致せずにログインが失敗したかを判定する（Ｓ１０４）。ログイン成功の場合（Ｙｅｓの場合）、判定部００３は、処理実施部００６に対しログイン処理の実施命令を出力し、ステップＳ１０５に進む。ログイン失敗の場合（Ｎｏの場合）、ログイン処理を終了する。
【００６５】
更新部００５は、判定部００３からログイン処理の要求を行ったユーザの識別情報を受けて、ユーザ情報記憶部０４１の最新のユーザの識別情報を更新する（Ｓ１０５）。
【００６６】
履歴記憶部０４２は、更新部００５から入力されたログイン処理を要求したユーザの識別情報、処理実施部００６から入力された実施したログイン処理の処理内容及び処理の日時、並びに判定部００３から入力されたログイン方法を含む履歴情報を記憶する（Ｓ１０６）。
【００６７】
処理実施部００６は、主制御部００１を介して表示部０７１に患者選択画面を表示させる（Ｓ１０７）。
【００６８】
ユーザによる、入力部０７２を用いた患者選択画面の中からの患者の選択の入力を受けて、処理実施部００６は、ユーザにより選択された患者のカルテを表示部０７１に展開する（Ｓ１０８）。
【００６９】
次に、図３を参照して本実施形態に係る電子カルテシステムの変更保存処理における動作を説明する。図３は本実施形態に係る電子カルテシステムの変更保存処理におけるフローチャートである。
【００７０】
（変更保存処理）
ユーザは入力部０７２を用いて、自己が変更した電子カルテの内容の変更保存の処理要求を入力する（Ｓ２０１）。
【００７１】
第１表示制御部０１１は、統括制御部０１３からの認証画面の表示要求を受けて、表示部０７１に最新のユーザの認証情報を入力するための認証画面を表示させる（Ｓ２０２）。
【００７２】
ユーザは、第１表示制御部０１１により表示部０７１に表示された認証画面に対し、入力部０７２を用いて認証情報の入力を行う（Ｓ２０３）。
【００７３】
照合部００２は、ユーザ情報記憶部０４１を参照し、ユーザにより入力された認証情報が最新のユーザの認証情報と一致するか否かを判断する（Ｓ２０４）。入力された認証情報が最新のユーザの認証情報と一致する場合（Ｙｅｓの場合）、照合部００２は処理実施部００６に変更保存処理の実施命令を出力する。そして、ステップＳ２０５に進む。また、入力された認証情報が最新のユーザの認証情報と不一致の場合（Ｎｏの場合）、ステップＳ２０７に進む。
【００７４】
処理実施部００６は、照合部００２からの変更保存処理の実施命令を受けて、カルテへの変更内容を保存する（Ｓ２０５）。
【００７５】
履歴記憶部０４２は、変更保存処理を要求したユーザの識別情報、処理実施部００６から入力された実施した変更保存処理の処理内容及び処理の日時、並びにログイン方法を含む履歴情報を記憶する（Ｓ２０６）。
【００７６】
統括制御部０１３は、電子カルテの変更保存要求が入力される以前に行われた処理を一時保存領域に最新のユーザのＩＤに対応づけて一時保存させておく（Ｓ２０７）。
【００７７】
統括制御部０１３は、変更保存の処理要求が入力される前にログインしているユーザ（最新のユーザ）をログオフさせる（Ｓ２０８）。
【００７８】
第２表示制御部０１２は、統括制御部０１３からログイン画面の表示命令の入力を受けて、識別情報及び認証情報を入力するためのログイン画面を表示部０７１に表示させる（Ｓ２０９）。
【００７９】
ユーザは、第２表示制御部０１２により表示されたログイン画面に対し、入力部０７２を用いて識別情報及び認証情報を入力する（Ｓ２１０）。
【００８０】
判定部００３は、識別情報及び認証情報の入力を受けて、ユーザ情報記憶部０４１を参照し、入力された識別情報及び認証情報の組み合わせとユーザ情報記憶部０４１に記憶されている識別情報及び認証情報の組み合わせとを比較し、入力された組み合わせがユーザ情報記憶部０４１に記憶されている組み合わせのいずれかに一致しログインが成功したか、一致せずにログインが失敗したかを判定する（Ｓ２１１）。ログイン成功の場合（Ｙｅｓの場合）、判定部００３は、処理実施部００６に対しログイン処理の実施命令を出力する。そして、ステップＳ２１２に進む。ログイン失敗の場合（Ｎｏの場合）、ステップＳ２１３に進む。
【００８１】
更新部００５は、判定部００３からログイン処理の要求を行ったユーザの識別情報の入力を受けて、ユーザ情報記憶部０４１の最新のユーザの識別情報を入力されたユーザの識別情報へと更新する（Ｓ２１２）。
【００８２】
ユーザは、ログインが失敗した場合、表示部０７１に表示された変更の保存を決定するためのダイアログを参照し、ユーザインタフェース００７を用いて自ら行った変更を保存せずに終了するか変更の保存を行うかを選択する（Ｓ２１３）。ユーザが変更を保存せずに終了を選択した場合（Ｙｅｓの場合）、ステップＳ２１４に進む。ユーザが変更の保存を選択した場合（Ｎｏの場合）、ステップＳ２０９へ戻る。
【００８３】
統括制御部０１３は、変更を保存せずに終了というユーザの選択を受けて、変更保存処理を終了する（Ｓ２１４）。
【００８４】
次に、図４を参照して本実施形態に係る電子カルテ装置１００のログオフ処理における動作を説明する。図４は本実施形態に係る電子カルテ装置１００のログオフ処理におけるフローチャートである。
【００８５】
（ログオフ処理）
ユーザは、入力部０７２を用いて電子カルテプログラムからのログオフの処理要求を入力する（Ｓ３０１）。
【００８６】
統括制御部０１３は、入力部０７２からログオフ処理の要求を受けて、ログオフ処理の要求を受けた段階で保存すべき情報があるか否か、すなわち、電子カルテに対し変更を行ったにもかかわらずその変更内容の保存が行われていない状態か否かを判断する（Ｓ３０２）。保存すべき情報がない場合（Ｎｏの場合）、ステップＳ３０３に進む。保存すべき情報がある場合（Ｙｅｓの場合）、ステップＳ３１４に進む。
【００８７】
第１表示制御部０１１は、統括制御部０１３からの認証画面の表示要求を受けて、表示部０７１に最新のユーザの認証情報を入力するための認証画面を表示させる（Ｓ３０３）。
【００８８】
ユーザは、第１表示制御部０１１により表示部０７１に表示された認証画面に対し、入力部０７２を用いて認証情報の入力を行う（Ｓ３０４）。
【００８９】
照合部００２は、ユーザ情報記憶部０４１を参照し、ユーザにより入力された認証情報が最新のユーザの認証情報と一致するか否かを判断する（Ｓ３０５）。入力された認証情報が最新のユーザの認証情報と一致する場合（Ｙｅｓの場合）、照合部００２は処理実施部００６にログオフ処理の実施命令を出力する。そして、ステップＳ３０６に進む。また、入力された認証情報が最新のユーザの認証情報と一致しない場合（Ｎｏの場合）、ステップＳ３０９に進む。
【００９０】
処理実施部００６は、照合部００２からのログオフ処理の実施命令を受けて、ログイン処理を要求したユーザ（この段階での最新のユーザ）を電子カルテプログラムからログオフさせるログオフ処理を実施する（Ｓ３０６）。
【００９１】
履歴記憶部０４２は、ログオフ処理を要求したユーザの識別情報、ログオフ処理の処理内容、ログオフ処理を実施した日時、及びログイン方法を含む履歴情報を記憶する（Ｓ３０７）。
【００９２】
統括制御部０１３は、処理実施部００６からログオフ完了の通知を受けて、電子カルテプログラムを終了させる（Ｓ３０８）
【００９３】
統括制御部０１３は、変更保存の処理要求が入力される前にログインしているユーザ（この段階での最新のユーザの識別情報を有するユーザ）をログオフさせる（Ｓ３０９）。
【００９４】
第２表示制御部０１２は、統括制御部０１３からログイン画面の表示命令の入力を受けて、識別情報及び認証情報を入力するためのログイン画面を表示部０７１に表示させる（Ｓ３１０）。
【００９５】
ユーザは、第２表示制御部０１２により表示されたログイン画面に対し、入力部０７２を用いて識別情報及び認証情報を入力する（Ｓ３１１）。
【００９６】
判定部００３は、入力部０７２から識別情報及び認証情報の入力を受けて、ユーザ情報記憶部０４１を参照し、入力された識別情報及び認証情報の組み合わせとユーザ情報記憶部０４１に記憶されている識別情報及び認証情報の組み合わせとを比較し、入力された組み合わせがユーザ情報記憶部０４１に記憶されている組み合わせのいずれかに一致しログインが成功したか、一致せずにログインが失敗したかを判定する（Ｓ３１２）。ログイン成功の場合（Ｙｅｓの場合）、判定部００３は、処理実施部００６へログイン処理の実施命令を出力する。そして、ステップＳ３１３に進む。ログイン失敗の場合（Ｎｏの場合）、ステップＳ３１０へ戻る。
【００９７】
更新部００５は、判定部００３からログイン処理の要求を行ったユーザの識別情報の入力を受けて、ユーザ情報記憶部０４１の最新のユーザの識別情報を入力された識別情報へと更新する（Ｓ３１３）。
【００９８】
統括制御部０１３は、各機能部に図３に示す保存変更処理のフローを実施させる（Ｓ３１４）。
【００９９】
以上で説明したように、本実施形態に係る電子カルテ装置は、ログイン処理、変更保存処理、及びログオフ処理といった所定の処理を行うにあたり、電子カルテへのログインを要求し（ここでのログインは識別情報及び認証情報の入力、並びに認証情報のみの入力によるいずれも含む）、ログインが成功した場合に要求された処理を行い、さらに、その処理における処理を行ったユーザの識別情報や処理内容を含む履歴情報を保存する構成である。つまり、本実施形態に係る電子カルテ装置は、既に電子カルテプログラムに対するログインが行われている状態で、新たな所定の処理要求が行われたときに、その処理要求を行ったユーザにログインを行わせる。
【０１００】
これにより、電子カルテに対し所定の処理を行った場合には、必ずその処理を行ったユーザの識別情報及びその処理内容の履歴が残ることになり、その処理内容及びその処理を行った者を特定することが可能になる。特に電子カルテに対し変更保存処理を行ったユーザの特定ができるので、電子カルテに対する真正性を確保することが可能となる。
【０１０１】
また、電子カルテプログラムに対しログイン処理又はログオフ処理を行ったユーザの特定が可能となるので、情報漏洩のリスクを軽減することが可能である。
【０１０２】
さらに、以上の構成では、現在ログインしているユーザがそのまま装置を使用することが多いと思われることから、所定の処理を行う場合のログインに際しての入力の煩雑さを軽減するため、最初に最新のユーザの認証情報の入力を受け付けるための認証画面を表示して、最新のユーザによるログインを行っているが、これは所定の処理を行う場合のログインに際しての入力の煩雑さを考慮しなければ、所定の処理要求が入力された場合に常に識別情報及び認証情報の入力を求める構成にしてもよい。この場合、統括制御部０１３は、第１表示制御部０１１への認証画面の表示要求を飛ばして、第２表示制御部０１２に対し識別情報及び認証情報を入力するためのログイン画面の表示要求を行う。したがって、この様な構成においては、第１表示制御部０１１及び照合部００２を設けなくてもよい。この処理のみを行う場合の実施形態は下に説明する。
【０１０３】
〔第２の実施形態〕
以下、この発明の第２の実施形態に係る電子カルテ装置について説明する。本実施形態に係る電子カルテ装置は、最新のユーザの認証情報の要求を行わずに、最初から所定の処理を要求したユーザの識別情報及び認証情報を要求する構成であることが第１の実施形態と異なるものである。本実施形態に係る電子カルテシステムは図１の機能ブロックから第１表示制御部０１１、照合部００２、及び更新部００５を除いた構成である。以下の説明では、第１の実施形態と同一の符号を付された機能部は特に説明のない限り同じ機能を有するものとする。
【０１０４】
統括制御部０１３は、入力部０７２から電子カルテプログラムへの処理要求の入力を受ける。統括制御部０１３は、処理要求が行われた処理が記憶している種類の処理に一致する場合には第２表示制御部０１２に対しログイン画面の表示要求を出力する。また、処理要求が行われた処理が記憶している種類の処理に一致しない場合には、統括制御部０１３は、処理実施部００６に対し処理要求が行われた処理の実施命令を出力する。
【０１０５】
第２表示制御部０１２は、統括制御部０１３からログイン画面の表示要求を受ける。また、処理要求を行ったユーザのログインが失敗した場合には、判定部００３からログイン画面の表示要求を受ける。
【０１０６】
第２表示制御部０１２は、ログイン画面の表示要求を受けると、記憶しているログイン画面のフォーマットを基に表示部０７１にログイン画面を表示させる。ユーザは、表示部０７１に表示されたログイン画面を参照し、入力部０７２を用いて識別情報及び認証情報の入力を行う。第２表示制御部０１２は、ユーザにより識別情報及び認証情報の入力が行われると表示しているログイン画面を消去する。本実施形態における第２表示制御部０１２が本発明における「表示制御手段」にあたる。
【０１０７】
判定部００３は、ログイン画面に対するユーザによる入力部０７２からの識別情報及び認証情報の入力を受ける。そして、判定部００３は、ユーザ情報記憶部０４１を参照し、入力された識別情報及び認証情報の組み合わせと、ユーザ情報記憶部０４１に記憶されている識別情報及び認証情報の組み合わせとを比較し、入力された識別情報及び認証情報が記憶されている識別情報及び認証情報の組み合わせのいずれかと一致するか否かを判定する。
【０１０８】
組み合わせが一致する場合には、判定部００３は、処理実施部００６に対し処理要求が行われた処理の実施の命令を出力し、且つ履歴記憶部０４２に対し、処理を行うユーザの識別情報として入力部０７２から入力された識別情報を出力し、さらにログイン方法を出力する。ここで、本実施形態では第１の実施形態と同様に、処理が行われたときの状況を後からより正確に把握できるように、判定部００３はログイン方法を履歴記憶部０４２に出力しているが、このログイン方法の出力は行わなくてもよい。
【０１０９】
また、組み合わせが一致しない場合には、判定部００３は、第２表示制御部０１２に対しログイン画面の表示要求を出力する。
【０１１０】
処理実施部００６は、判定部００３から処理の実施命令を受けて、処理要求が行われた処理を実施し、その処理内容を履歴記憶部０４２へ出力する。さらに、処理実施部００６は、履歴記憶部０４２に対し処理を行った日時を出力する。ここで、本実施形態では第１の実施形態と同様に、処理が行われたときの状況を後からより正確に把握できるように、処理実施部００６は処理を行った日時を履歴記憶部０４２に出力しているが、この処理を行った日時の出力は行わなくてもよい。
【０１１１】
履歴記憶部０４２は、判定部００３から処理行うユーザの識別情報及びログイン方法の入力を受ける。また、履歴記憶部０４２は、処理実施部００６より処理内容及び処理を実施した日時の入力を受ける。そして、履歴記憶部０４２は、処理を行うユーザの識別情報、処理内容、ログイン方法、及び処理を実施した日時を含む履歴情報を記憶する。ただし、第１の実施形態と同様に、ログイン方法や処理を実施した日時は記憶しなくても処理を行ったユーザの特定は可能なため、履歴情報にはログイン方法や処理を実施した日時を含めなくてもよい。
【０１１２】
以上に説明したように、本実施形態に係る電子カルテ装置は、所定の処理要求の入力を受けると、識別情報及び認証情報の入力を求めるログイン画面を表示し、ログインが成功した場合に処理要求が行われた処理を実施し、さらに少なくともその処理内容と処理行ったユーザの識別情報を保存する構成である。
【０１１３】
これにより、電子カルテに対し所定の処理を行った場合には、必ずその処理を行ったユーザの識別情報及びその処理内容の履歴が残ることになり、その処理内容及びその処理を行った者を特定することが可能になる。特に電子カルテに対し変更保存処理を行ったユーザの特定ができるので、電子カルテに対する真正性を確保することが可能となる。
【０１１４】
また、以上で説明した構成では、最新のユーザの識別情報を用いない構成で説明したが、更新部００５をさらに設けて、第１の実施形態と同様に最新のユーザの識別情報をユーザ情報記憶部０４１に記憶させ、更新部００５がユーザ情報記憶部０４１に記憶されている最新のユーザの識別情報を処理要求を行ったユーザの識別情報に更新する構成にしてもよい。
【０１１５】
（変形例１）
次に、本実施形態に係る電子カルテ装置の変形例を説明する。本変形例は、識別情報及び認証情報の入力手段として生体認証を用いる構成である。
【０１１６】
本実施形態に用いられる生体認証は、指紋認証、静脈認証、顔認証、又は角膜認証など、どのような認証方法でも用いることが可能である。この生体認証はバイオメトリクスとも呼ばれ、身体の特徴点を複数抽出し、それらの位置関係によって情報の確認を行うなどの方法が用いられる。以下の説明では指紋認証の場合で説明する。
【０１１７】
ユーザ情報記憶部０４１には、ユーザの指紋情報と識別情報との組み合わせが複数記憶されている。ここで、指紋情報は１本の指の指紋だけを登録してもよいし、複数の指の指紋を登録してもよいが、以下の説明では、１人のユーザにつき１本の指の指紋を登録している場合で説明する。
【０１１８】
指紋は各ユーザ固有のものであるため、指紋を入力することで記憶されている組み合わせの中から指紋を基にユーザの識別情報を特定することができる。本変形例は、この様に指紋から識別情報及び認証情報の何れも特定する構成である。この様な構成では、指紋を入力することは、識別情報と認証情報とを同時に入力することと同じである。したがって、第１の実施形態のように最新のユーザの認証情報の入力を受け付けるためのログイン画面を用いる必要はなく、指紋の入力を行うことで、常に識別情報及び認証情報の入力が行われる。
【０１１９】
ここで、指紋を認証情報のみに用いることも可能であり、その場合には識別情報をキーボードなどを用いて入力し、さらに指紋による認証情報の入力を行う構成となる。この場合には、第１の実施形態と同様の構成となる。
【０１２０】
そこで、本変形例では、所定の処理要求が入力された場合には、統括制御部０１３は、第２表示制御部０１２に対し識別情報及び認証情報を入力するための指紋認証を要求するダイアログ及びログイン画面の表示要求を出力する。ここで、本実施形態ではここで、本実施形態ではダイアログのみを表示する構成にしているが、これは他の表示方法でもよく、例えばログイン画面と共にダイアログを表示する構成にしてもよい。ログイン画面及びダイアログを表示する構成にしているが、これは他の表示方法でもよく、例えばダイアログのみを表示する構成にしてもよい。ログイン画面及びダイアログを表示する構成にした場合には、ユーザはどちらかの入力方法を選択できることになる。
【０１２１】
第２表示制御部０１２は、表示部０７１に識別情報及び認証情報を入力するためのログイン画面及び指紋認証を要求するダイアログを表示させる。ユーザはユーザＩＤ及びパスワードの入力、又は指紋認証の何れのログイン方法を採ってもよく、ログイン画面及びダイアログを表示することで、ユーザはいずれかを選択できる。
【０１２２】
入力部０７２は、指紋読み取り装置を有している。ユーザは指紋読み取り装置を用いて自分の指紋を入力する。ここで、ユーザは、単に指紋読み取り装置に指を押し付けたり、滑らせたりすることで、指紋の入力を行うことができる。
【０１２３】
判定部００３は、入力部０７２より入力された指紋を基に、ユーザ情報記憶部０４１を参照し、一致する指紋が存在するか判定し、存在した場合には、その指紋に対応する識別情報を履歴記憶部０４２に対し出力する。また、判定部００３は、一致する指紋が存在した場合、すなわちログインが成功した場合には、処理実施部００６へ処理要求が行われた処理の実施命令を出力する。
【０１２４】
処理実施部００６は、判定部００３から処理の実施命令を受けて、処理要求が行われた処理を実施し、その処理内容を履歴記憶部０４２へ出力する。
【０１２５】
履歴記憶部０４２は、判定部００３から入力された識別情報及びログイン方法（指紋認証）、並びに処理実施部００６から入力された処理内容及び処理を行った日時を含む履歴情報を記憶する。
【０１２６】
以上に説明したように、本実施形態に係る電子カルテ装置は、識別情報及び認証情報の組み合わせとして生体認証を用いる構成である。これにより、ユーザは簡単に識別情報及び認証情報の入力を行うことができ、所定の処理を行う際のログインの作業の煩雑さを軽減することが可能となる。
【０１２７】
また、この変形例では識別情報及び認証情報の組み合わせとして生体認証を用いたが、これはＩＣカードなどを用いてもよい。この場合、入力部０７２にＩＣカード読取装置が設けられる。このＩＣカード読取装置が本発明における「ＩＣカード読取機構」にあたる。このようにＩＣカードを識別情報及び認証情報の組み合わせの入力に用いた場合にも、単にカードを機械に通すなどの簡単な処理により入力を行うことができるため、所定の処理を行う際のログインの作業の煩雑さを軽減することが可能となる。
【０１２８】
さらに、上述した生体認証の場合と同様に、ＩＣカードを認証情報の入力にのみ使用する構成にしてもよい。その場合には、識別情報をキーボードなどを用いて入力し、さらにＣＩカードによる認証情報の入力を行う構成となる。この場合には、第１の実施形態と同様の構成となる。
【０１２９】
〔第３の実施形態〕
以下、この発明の第３の実施形態に係る電子カルテ装置について説明する。本実施形態に係る電子カルテ装置は、所定の処理要求の入力などを行うユーザインタフェースを他の医用情報端末に設けた構成であることが第１の実施形態と異なるものである。本実施形態に係る電子カルテ装置１００は図１に示す機能ブロック図からユーザインタフェース００７を除いた構成である。以下の説明では、第１の実施形態と同一の符号を付された機能部は特に説明のない限り同じ機能を有するものとする。図５は本実施形態に係る電子カルテ装置１００を用いたシステムの構成を表す図である。
【０１３０】
図５に示すように、本実施形態に係る電子カルテ装置１００は医用情報端末２００とネットワークを介して接続されているものとする。以下の説明では、電子カルテ装置１００、医用情報端末２００、及びそれらを接続するネットワークを含んだものを「電子カルテシステム」という。図５の電子カルテシステムには、説明を分かり易くするために１台の医用情報端末２００のみを記載しているが、実際にはネットワーク上には複数台の医用情報端末２００が電子カルテ装置１００と接続されていてもよい。
【０１３１】
電子カルテ装置１００は、ＣＰＵや記憶媒体を有し、他のコンピュータに対し機能やデータを提供するコンピュータであり、一般的にサーバと呼ばれる装置である。
【０１３２】
電子カルテ装置１００は、電子カルテプログラムを記憶しており、その記憶している電子カルテプログラムを実行する。電子カルテ装置１００は、図１におけるユーザインタフェース００７以外の機能部を有するものである。ただし、電子カルテ装置１００は、表示部や入力部といったユーザインタフェースを備えていてもよい。
【０１３３】
医用情報端末２００は、ＣＰＵや記憶媒体を有し、他のコンピュータ（サーバ）が提供する機能やデータを利用するコンピュータであり、一般的にクライアントと呼ばれる装置である。
【０１３４】
医用情報端末２００は、図１に示す表示部０７１及び入力部０７２を備えたユーザインタフェース００７の機能を備えるものである。
【０１３５】
ユーザは、医用情報端末２００を用いて電子カルテプログラムに対する処理要求を電子カルテ装置１００へ入力する。以下では、処理要求が行われた処理の種類毎に医用情報端末２００の動作について説明する。
【０１３６】
ユーザがログイン処理を要求した場合、医用情報端末２００は、自己の表示部０７１に、電子カルテ装置１００の第２表示制御部０１２から受けた識別情報及び認証情報を入力するための電子カルテプログラムへのログイン画面を表示する。そして、ユーザにより医用情報端末２００の入力部０７２を用いて識別情報及び認証情報の組み合わせが入力され、その組み合わせの情報が電子カルテ装置１００の判定部００３に入力される。
【０１３７】
そして、判定部００３でログインが成功したと判定された場合には、医用情報端末２００は、自己の表示部０７１に電子カルテを展開する。この場合、統括制御部０１３により、ユーザの識別情報や処理内容を含む履歴情報が履歴記憶部０４２に記憶させられる。
【０１３８】
また、判定部００３でログインが失敗したと判定された場合には、医用情報端末２００は、自己の表示部０７１に再度、第２表示制御部０１２から受けた識別情報及び認証情報を入力するための電子カルテプログラムへのログイン画面を表示する。
【０１３９】
また、ユーザが変更保存処理又はログオフ処理を要求した場合、医用情報端末２００の表示部０７１には、まず電子カルテ装置１００の第１表示制御部０１１により現在ログインしているユーザの認証情報を入力するための電子カルテプログラムへのログイン画面が表示される。そして、ユーザにより医用情報端末２００の入力部０７２を用いて認証情報が入力され、その認証情報が電子カルテ装置１００の照合部００２に入力される。
【０１４０】
そして、照合部００２でログインが失敗したと判断された場合、医用情報端末２００は、自己が有する表示部０７１に、電子カルテ装置１００の第２表示制御部０１２から受けた識別情報及び認証情報を入力するための電子カルテプログラムへのログイン画面を表示する。
【０１４１】
そして、ユーザにより医用情報端末２００の入力部０７２を用いて識別情報及び認証情報の組み合わせが入力され、その組み合わせの情報が電子カルテ装置１００の判定部００３に入力される。そして、判定部００３でログインが失敗したと判定された場合には、医用情報端末２００は、表示部０７１に再度、第２表示制御部０１２から受けた識別情報及び認証情報を入力するための電子カルテプログラムへのログイン画面を表示する。
【０１４２】
ここで、照合部００２又は判定部００３でログインが成功したと判断された場合、要求された処理に対応する情報を医用情報端末２００が表示する。さらに、処理実施部により要求された処理が実施された後に、統括制御部０１３により、ユーザの識別情報や処理内容を含む履歴情報が履歴記憶部０４２に記憶させられる。
【０１４３】
ただし、ユーザがログオフ処理を要求した場合に、処理要求が入力された時点で電子カルテの内容に保存が必要な内容が含まれている場合には、上述した変更保存処理と同様の動作が行われその後ログオフ処理が行われる。
【０１４４】
以上に説明したように、本実施形態に係る電子カルテ装置は、ユーザが入力を行うユーザインタフェースを外部の医用情報端末に持ち、電子カルテプログラムでの所定の処理を実施する際に電子カルテへのログインを要求し、ログインが成功した場合に要求された処理を行い、さらに、その処理における処理を行ったユーザの識別情報や処理内容を含む履歴情報を保存する構成である。
【０１４５】
これにより、ユーザインタフェースを外部に持つ構成においても、電子カルテに対し所定の処理を行った場合には、必ずその処理を行ったユーザの識別情報及びその処理内容の履歴が電子カルテ装置に残ることになり、その処理内容及びその処理を行った者を特定することが可能になる。したがって、電子カルテに対する真正性を確保することが可能となる。
【符号の説明】
【０１４６】
００１  主制御部
０１１  第１表示制御部
０１２  第２表示制御部
００２  照合部
００３  判定部
００４  記憶部
０４１  ユーザ情報記憶部
０４２  履歴記憶部
００５  更新部
００６  処理実施部
００７  ユーザインタフェース
０７１  表示部
０７２  入力部
１００  電子カルテ装置
２００  医用情報端末
【図１】
2010277530.tif 000003
【図２】
2010277530.tif 000004
【図３】
2010277530.tif 000005
【図４】
2010277530.tif 000006
【図５】
2010277530.tif 000007